(57)【要約】【課題】後方電話機の機種に影響されず、幅を持たせた時間で管理し、無駄にＰＢ信号待ちしないようにすることで、信頼性が高く且つ電池消費を低減できる端末網制御装置及びそれを備えたテレメータ通信システムを提供する。【解決手段】電話回線１３がナンバーディスプレイ契約している回線であることに応じて、後方電話機１７は、最初に送出される短いプレリンガー信号（Ｓ１１）に応じてオフフックをし（Ｓ１２）、電話回線から発信者電話番号信号が送出（Ｓ１４）されて、後方電話機は当該発信者電話番号を表示した後にオンフックをする（Ｓ１５）。端末網制御装置は、プレリンガー信号に応じて後方電話機がオフフックをしても、マイコン高速動作を要するＰＢ信号の受信状態に移行することなく、マイコン低速動作での後方電話機のオフフックの監視を維持する（Ｓ１７、Ｓ１８）。【選択図】図１
2010251982.tif 000002
【特許請求の範囲】
【請求項１】
後方電話機とメータとが接続され且つセンタ装置との間で電話回線を介して通信を行う電池駆動の端末網制御装置であって、
前記電話回線から所定時間の間、リンガー信号が前記後方電話機に送出され、前記後方電話機がオフフックをすることなく前記リンガー信号が停止することに応答して前記端末網制御装置から前記センタ装置への通信が行われ、
前記電話回線から所定時間の間、前記リンガー信号が送出されている間に前記後方電話機がオフフックをすることに応答して前記センタ装置からＰＢ信号が送出され、当該ＰＢ信号を受信したことに応答して更に前記端末網制御装置から前記センタ装置への通信が行われ、
前記後方電話機の前記オフフックの監視をマイコン低速動作で行い、前記ＰＢ信号の受信をマイコン高速動作で行う前記端末網制御装置において、
前記電話回線がナンバーディスプレイ契約している回線であることに応じて、前記後方電話機は、最初に送出されるプレリンガー信号に応じて前記オフフックをし、前記電話回線から発信者電話番号信号が送出されて、前記後方電話機は当該発信者電話番号を表示した後にオンフックをし、
前記端末網制御装置は、前記プレリンガー信号に応じて前記後方電話機が前記オフフックをしても、前記ＰＢ信号の受信状態に移行することなく前記マイコン低速動作での前記後方電話機の前記オフフックの監視を維持すること、
を特徴とする端末網制御装置。
【請求項２】
前記端末網制御装置は、前記電話回線から前記リンガー信号が送出されてくる過程で、前記後方電話機の前記オフフックを検知することに応じて前記マイコン高速動作で前記ＰＢ信号待ちとなり、前記後方電話機が前記ＰＢ信号を受信することなくオンフックをすることを検知することに応じて前記ＰＢ信号待ちを解除して前記マイコン低速動作での前記後方電話機の前記オフフック監視状態に戻ること、
を特徴とする請求項１に記載の端末網制御装置。
【請求項３】
設置後最初の前記電話回線を通じての通信にて当該電話回線が前記ナンバーディスプレイ契約している回線かどうか判定するとともにその判定内容を記憶し、前記電話回線が前記ナンバーディスプレイ契約している回線であると判定される場合に、前記電話回線を通じての次回以降の通信において、前記プレリンガー信号に応じて前記後方電話機がする１回目の前記オフフックの検知では前記マイコン高速動作での前記ＰＢ信号待ちをせず、前記リンガー信号に応じて前記後方電話機がする２回目の前記オフフックの検知の後に前記ＰＢ信号待ちをすることを特徴とする請求項１又は２に記載の端末網制御装置。
【請求項４】
設置時には前記ナンバーディスプレイ契約していない前記電話回線が途中から前記ナンバーディスプレイ契約している回線に変更された場合、前記端末網制御装置は当該変更後の最初の通信において前記後方電話機がする２回目の前記オフフックの検知により前記ＰＢ信号を受信し通信した後、次回の通信において前記後方電話機がする１回目の前記オフフックの検知では前記マイコン高速動作での前記ＰＢ信号待ちをせず、２回目の前記オフフックの検知後に前記ＰＢ信号待ちをすることを特徴とする請求項１又は２に記載の端末網制御装置。
【請求項５】
前記端末網制御装置は前記プレリンガー信号の検知から前記後方電話機における前記プレリンガー信号に応じた前記オンフックの検知までの時間データを前記センタ装置へ送信し、前記リンガー信号に基づく前記後方電話機の鳴動時間が短くならないよう前記センタ装置との接続時間を延ばすことを前記センタ装置へ促し、前記端末網制御装置が記憶している前記端末網制御装置が発呼する通信において管理している所定管理時間を延ばすことを特徴とする請求項３又は４に記載の端末網制御装置。
【請求項６】
前記端末網制御装置は、前記後方電話機の２回目の前記オフフックの検知により通信した後、そのとき前記センタ装置に発呼するために確認している前記リンガー信号を送出する所定送出時間を再設定するための要求するデータを前記センタ装置へ送信し、
前記要求データを受信した前記センタ装置は前記端末網制御装置に向かってダイヤルし、前記端末網制御装置はそのときの前記所定送出時間を測定し、前記所定管理時間を更に幅を狭めた値で前記端末網制御装置が記憶することを特徴とする請求項５に記載の端末網制御装置。
【請求項７】
前記センタ装置が前記ＰＢ信号だけではなく、前記後方電話機に通信することを知らせる音声送出後に前記ＰＢ信号を送出する場合には、前記端末網制御装置は、当該音声送出中に前記マイコン高速動作での前記ＰＢ信号待ちをせず、通信１回目に前記後方電話機の前記オフフックから前記ＰＢ信号の受信までの時間を測定し、測定した値が、音声が含まれていると想定できる所定時間以上の値であるとき、通信２回目からは、測定時間経過後に前記マイコン高速動作での前記ＰＢ信号待ちをすること、
を特徴とする請求項１〜６のいずれか一項に記載の端末網制御装置。
【請求項８】
電池消費を低減する動作中に、一定期間、前記端末網制御装置が通信を行わないとき、初期の設定状態に戻すこと、
を特徴とする請求項１〜６のいずれか一項に記載の端末網制御装置。
【請求項９】
初期の設定状態に戻ったとき、前記センタ装置へ発呼し、前記センタ装置から再設定してもらう要求データを送信するとともに、調査が必要で即再設定できない時のための一定期間後の再発呼時期設定要求データを送信することを特徴とする請求項８に記載の端末網制御装置。
【請求項１０】
前記電話回線が前記ナンバーディスプレイ契約していない回線であると判定される場合、前記リンガー信号に応じて前記後方電話機がする最初の前記オフフックの検知で、前記ＰＢ信号受信待ちをすることを特徴とする請求項３に記載の端末網制御装置。
【請求項１１】
最初に送出されるプレリンガー信号に応じてオフフックをし、電話回線から送出される発信者電話番号信号を受信することに応じて自動でオンフックする後方電話機、及び
前記オフフックを検知することに応じてマイコン高速動作でＰＢ信号待ちとなり、その後の前記後方電話機のオンフックを検知することに応じて前記ＰＢ信号待ちを解除してマイコン低速動作に戻って前記後方電話機のオフフック監視状態となる端末網制御装置、を備え、
前記端末網制御装置は、２回目の前記オフフックを検知し前記ＰＢ信号を受信することで、前記電話回線が、ナンバーディスプレイ契約がされた回線であると判別することに応じて、前記後方電話機の前記１回目のオフフックを検知しても前記ＰＢ信号待ちをせずに前記マイコン低速動作での前記後方電話機のオンフック監視状態となること、
を特徴とするテレメータ通信システム。
【発明の詳細な説明】
【技術分野】
【０００１】
本発明は、センタ装置と電話回線を介しており、センタ装置からの起動によるデータ伝送、或いは端末網制御装置からの発信によるデータ伝送により、メータへのデータ設定やメータ検針と当該検針値データのセンタ装置への送信を行う端末網制御装置、及びそうした端末網制御装置を備えるテレメータ通信システムに関する。
【背景技術】
【０００２】
端末制御装置に関する通信システムの構成の一例が、図５に示されている。センタ装置１１はセンタ側交換局１２に接続されており、センタ側交換局１２は電話回線１３を通じて端末側交換局１４に接続されている。端末側交換局１４は端末網制御装置１５に接続されており、端末網制御装置１５には更にメータ１６及び電話機１７が接続されており、これらセンタ装置１１から電話機１７までが通信システムとして構成されている。
【０００３】
図６は、図５に示されている通信システムに用いられる端末網制御装置１５の構成の一例を示す図である。電話回線１３は、端末網制御装置１５において、回線制御部１８に接続されているとともに、後方電話機１７の受話器が上げられたかどうか検知するためのオフフック検知部２１にも接続されており、オフフック検知部２１を介して後方電話機１７に接続されている。端末網制御装置１５の主要な構成要素であるマイクロコンピュータ１９は、電源部２２から電源供給を受けるとともに、回線制御部１８及びオフフック検知部２１に接続されている。マイクロコンピュータ１９は、メモリ２０を内蔵している。マイクロコンピュータ１９は、またメータＩ／Ｆ（インターフェイス）部２３を介して外部のメータ１６に接続されており、データ交換可能である。
【０００４】
センタ装置１１からの要求により、端末網制御装置１５には電話回線１３を通じてリンガー信号が送出され、リンガー信号による鳴動回数をカウントし、留守番電話のように所定回数以内で後方電話機１７がオフフックする場合には、端末網制御装置１５は、一定時間、回線１３をモニタし、その間にセンタ装置１１から送出されたＰＢ（プッシュボタン）信号を受信したときに、ＰＢ信号を受信した値と端末網制御装置１５に設定されている値が一致すると、センタ装置１１と通信することが提案されている。また、リンガー信号による鳴動回数のカウント値が所定回数以上でリンガー停止する場合には、端末網制御装置１５はセンタ装置１１に向かって発呼をすることが提案されている（特許文献１）。
【０００５】
図７は、図６に示した従来の端末網制御装置の動作フローチャートである。
センタ装置１１から端末網制御装置１５に向けてダイヤルすると、電話回線１３を通じてリンガー信号が送出される（ステップ１；Ｓ１と略す。以下、同じ）。リンガー信号が送出されると、端末網制御装置１５に接続されている後方電話機１７が鳴動する。端末網制御装置１５は、後方電話機１７において受話器の取り上げ（オフフック）が無しか否かをマイコン低速動作にて監視する（Ｓ２）。後方電話機１７の受話器が上げられる（Ｓ２の監視でＮＯ）と、端末網制御装置１５はマイコン高速動作にてセンタ装置１１から送出されるＰＢ信号待ちとなる（Ｓ３）。
【０００６】
端末網制御装置１５は、一定時間、ＰＢ信号の有無を監視する（Ｓ４）。ＰＢ信号を受信して、端末網制御装置１５内に記憶されているＰＢの値と一致すれば、センタ装置１１との通信を開始する（Ｓ５）。ＰＢ信号が受信できない場合は、一般のユーザーからの電話と判断して、何もせずスタンバイ状態に戻る（Ｓ６）。なお、このフローチャートに対応するタイムチャートは、図２に示す本発明の実施例においてナンバーディスプレイ契約無しの場合のタイムチャートと同等である。このように、Ｓ１〜Ｓ５に至るフローに対応して、電話回線から所定時間の間、リンガー信号が送出されている間に後方電話機１７がオフフックをすることに応答してセンタ装置１１から送出されるＰＢ信号待ちとなり、当該ＰＢ信号を受信したことに応答して端末網制御装置１５からセンタ装置１１への通信が行われる通信方法が、一方の通信方法である。
【０００７】
端末網制御装置１５は、Ｓ２の監視において後方電話機１７のオフフックがない（受話器が取り上げられず、監視の結果がＹＥＳ）場合には、リンガー信号が停止するか否かが判断され（Ｓ７）、この間の時間が測定される。リンガー信号が停止したときに、その停止した時までの時間が端末網制御装置１５内に記憶されている時間値と一致すれば、センタ装置１１からの起動、即ち、センタ装置１１からのリンガー信号が送出されていたと判断して、センタ装置１１へ発呼（発信）を行う（Ｓ８）。センタ装置１１と接続できれば、通信を行い、センタ装置１１からの命令に従い、メータ１６へのデータ設定やメータ検針を行う（Ｓ９）。このように、Ｓ１，Ｓ２，Ｓ７〜Ｓ９に至るフローに対応して、電話回線から所定時間の間、リンガー信号が送出されている間に後方電話機１７がオフフックされずにリンガー信号が停止することに応答してセンタ装置１１へ発呼し、端末網制御装置１５からセンタ装置１１への通信が行われる通信方法が、もう一方の通信方法である。
【先行技術文献】
【特許文献】
【０００８】
【特許文献１】特開２００４−２０１１５７号公報
【発明の概要】
【発明が解決しようとする課題】
【０００９】
しかしながら、電話回線がナンバーディスプレイ契約をした回線であると、リンガー信号以外に、短いリンガー信号（プレリンガー信号）や発信者電話番号信号が送出される。或いは、後方電話機の機種によりリンガー信号送出タイミングが変わるということもある。このようなプレリンガー信号や発信者電話番号信号の送出、或いはリンガー信号送出タイミングの変更という現象が生じると、リンガー信号が停止するまでの時間を適正にカウントできない、という問題がある。
【００１０】
後方電話機は、プレリンガー信号を受信すると一次応答（オフフック）し、これは電話機の機種によってタイミングが異なり、端末網制御装置はオフフック検知しマイコン高速動作のＰＢ信号待ちとなる。このタイミングではセンタ装置からは未だＰＢ信号が送信送出されず、回線からは発信者電話番号信号が送出される。後方電話機は、発信者電話番号信号を表示すると、オンフックし回線に対しリンガー信号送信可能な状態にするが、これは電話機の機種によってタイミングが異なり、リンガー信号が送出されるタイミングもそれに伴って異なる。端末網制御装置は、後方電話機のオンフックを検知するとＰＢ信号待ちを解除しマイコン低速動作に戻る。リンガー信号が送出され、後方電話機が鳴動するときに顧客が受話器を上げる（オフフック）と、端末網制御装置は再度マイコン高速動作のＰＢ信号待ちとなり、センタ装置からＰＢ信号が送出されるので、受信したＰＢ信号の受信値と端末網制御装置に設定されている値が一致すると、センタ装置と通信する。
【００１１】
このようにナンバーディスプレイ契約をした回線においては、端末網制御装置は、プレリンガー信号の受信時とリンガー信号受信時との２度に渡ってマイコン高速動作のＰＢ信号待ちをすることとなり、更に一般のユーザーからの電話に対しても同じくＰＢ信号待ちをし、その後、ＰＢ信号無しと判断しスタンバイ状態に戻る動作をするため、電池消費への影響が大きい。
【００１２】
そこで、この発明の課題は、後方電話機の機種に影響されず、リンガー信号とプレリンガー信号を区別しなくても済むように（回線ノイズで誤判定しないように）回数ではなく幅を持たせた時間で管理して、マイコン高速動作が必要なＰＢ信号待ちの機会を減らす点で解決すべき課題がある。
本発明の目的は、後方電話機の機種に影響されず、リンガー信号とプレリンガー信号を区別しなくても済むように回数ではなく幅を持たせた時間で管理すること、無駄にＰＢ信号待ちしないようにすることで、信頼性が高く、且つ電池消費を低減することができる端末網制御装置を提供することである。
【００１３】
回数ではなく幅を持たせた時間で管理することの理由は、２つの通信方法、即ち、上記したように、後方電話機の受話器が上げられる（オフフック）場合の通信方法と、受話器が上げられない（オンフック）場合の通信方法とのうち、リンガー信号停止後、センタ装置へ発呼する通信を行うためには、センタ装置の制御としてリンガーを決まった回数鳴動させる制御ができない（センタ装置には相手側に何回リンガーが鳴動しているかわからない）ので、センタ装置は、ダイヤルしてある時間経過後、回線切断（オンフック）するしかない。ナンバーディスプレイ契約をするとさらに時間設定が難しいものになるため、時間に幅をもたせる必要がある。ナンバーディスプレイ契約をしていない場合、センタ装置から送出される信号はリンガー信号のみであるので、時間幅をリンガー回数１０回に近いものにするには、リンガー信号が約１秒、リンガー休止時間約２秒として、約３０秒となる。それにダイヤルする時間や接続にかかる時間でズレが発生することがあり、ズレが３秒以上あるとセンタ装置による回線切断によって、リンガー回数は１０回より少なくなってしまう。このとき例えば、センタ装置の管理する時間（センタタイマー）を３３秒とし、端末網制御装置が管理する所定管理時間を、幅をもたせた２７秒〜３３秒とする。ナンバーディスプレイ契約をすると、さらにプレリンガー信号の送出時間、発信者電話番号信号の送出時間でズレが大きくなる。プレリンガー信号は、回線側が後方電話機の一次応答（オフフック）を検知するまで送出されるので、後方電話機がいつ一次応答（オフフック）するかによってプレリンガー信号送出時間が変わる。また、リンガー信号の回数で管理する場合、ナンバーディスプレイ契約になるとプレリンガー信号が発生し、プレリンガー信号が約０．５秒なので回線のノイズで約１秒のリンガー信号と誤認識すると、回数が一致しなくなる問題がある。
【課題を解決するための手段】
【００１４】
前記の課題を解決するために、この発明による端末網制御装置は、後方電話機とメータとが接続され且つセンタ装置との間で電話回線を介して通信を行う電池駆動の端末網制御装置であって、前記電話回線から所定時間の間、リンガー信号が前記後方電話機に送出され、前記後方電話機がオフフックをすることなく前記リンガー信号が停止することに応答して前記端末網制御装置から前記センタ装置への通信が行われ、前記電話回線から所定時間の間、前記リンガー信号が送出されている間に前記後方電話機がオフフックをすることに応答して前記センタ装置からＰＢ信号が送出され、当該ＰＢ信号を受信したことに応答して更に前記端末網制御装置から前記センタ装置への通信が行われ、前記後方電話機の前記オフフックの監視をマイコン低速動作で行い、前記ＰＢ信号の受信をマイコン高速動作で行う前記端末網制御装置において、前記電話回線がナンバーディスプレイ契約をしている回線であることに応じて、前記後方電話機は、最初に送出されるプレリンガー信号に応じて前記オフフックをし、前記電話回線から発信者電話番号信号が送出されて、前記後方電話機は当該発信者電話番号を表示した後にオンフックをし、前記端末網制御装置は、前記プレリンガー信号に応じて前記後方電話機が前記オフフックをしても、前記ＰＢ信号の受信状態に移行することなく前記マイコン低速動作での前記後方電話機の前記オフフックの監視を維持すること、を特徴としている。
【００１５】
この端末網制御装置は、後方電話機とメータとが接続され且つ電話回線を介してセンタ装置と通信を行う電池駆動の端末網制御装置であるが、発信（発呼）する通信の一形態は、電話回線から所定時間に渡ってリンガー信号が送出されるにも関わらず後方電話機でオフフックされず、リンガー信号が停止すると、端末網制御装置がセンタ装置へ発呼する通信形態であり、もう１つの通信形態は、電話回線から当該所定時間に渡ってリンガー信号が送出されている間に後方電話機がオフフックされるとき、センタ装置からＰＢ信号が送出され、それを端末網制御装置が受信するとセンタ装置と通信する形態である。
【００１６】
この動作の中で端末網制御装置は、後方電話機のオフフックの監視をマイコン低速動作で行い、ＰＢ信号の受信をマイコン高速動作で行う。端末網制御装置が検知するリンガー信号は、電話回線がナンバーディスプレイ契約をしている回線であるか、それともナンバーディスプレイ契約をしていない回線かで送出されてくる手順が異なる。即ち、ナンバーディスプレイ契約をしていない電話回線の場合、リンガー信号のみが送出されてくるので、後方電話機がオフフックされると、端末網制御装置はＰＢ信号受信待ちをし、受信するとセンタ装置と通信する。ナンバーディスプレイ契約をしている電話回線の場合、最初に短いリンガー信号（プレリンガー信号）が送出され、後方電話機自身が自動で一次応答（オフフック）をすると、電話回線から発信者電話番号信号が送出されて、後方電話機が発信者電話番号を表示する。後方電話機は、発信者電話番号の表示後には自動でオンフック（受話器を下げた状態と同等）をする。電話回線からリンガー信号が送出されてくる過程で、端末網制御装置は、後方電話機の一次応答（オフフック）を検知するとマイコン高速動作でのＰＢ信号待ちとなる。後方電話機のオンフックを検知すると、端末網制御装置は、ＰＢ信号待ちを解除してマイコン低速動作に戻り、後方電話機のオフフック監視状態となり、電話回線からリンガー信号の送出後、後方電話機がオフフックされると端末網制御装置は再度ＰＢ信号待ちし、受信するとセンタ装置と通信する。
【００１７】
この端末網制御装置において、設置後最初の通信にて、当該電話回線がナンバーディスプレイ契約をしている回線かどうか判定し記憶することができる。当該電話回線がナンバーディスプレイ契約をしている回線であると判定した場合、次回以降の通信では、後方電話機の１回目のオフフック検知ではマイコン高速動作でのＰＢ信号待ちをせず、電池消費しないようにし、２回目のオフフック検知後にＰＢ信号待ちをする。
【００１８】
また、この端末網制御装置において、電話回線が設置時はナンバーディスプレイ契約をしていない回線であるが途中からナンバーディスプレイ契約をしている回線に変更された場合、端末網制御装置は当該変更後の最初の通信において後方電話機がする２回目のオフフック検知によりＰＢ信号を受信しセンタ装置と通信した後、次回の通信において後方電話機がする１回目のオフフック検知ではマイコン高速動作でのＰＢ信号待ちをせず、後方電話機の２回目のオフフック検知後にＰＢ信号待ちをする。１回目のオフフック検知ではマイコン高速動作にならないので、電池消費を抑えることができる。
端末網制御装置は、そのとき前記プレリンガー信号の検知から前記後方電話機における前記プレリンガー信号に応じた前記オンフックの検知までの時間データを前記センタ装置へ送信し、前記リンガー信号に基づく前記後方電話機の鳴動時間が短くならないよう前記センタ装置との接続時間を延ばすことを前記センタ装置へ促し、前記端末網制御装置が記憶している前記端末網制御装置が発呼する通信において管理している所定管理時間を延ばすことができる。即ち、プレリンガー信号検知から後方電話機のオンフック検知までの時間データ（リンガー信号送出時間から余分に発生する時間）をセンタ装置へ送信し、リンガー鳴動時間が短くならないようセンタ装置との接続時間を延ばすことをセンタ装置へ促すとともに、端末網制御装置が記憶している端末網制御装置が発呼する通信において管理している所定時間を延ばすことができる。
【００１９】
また、センタ装置が管理している時間（センタタイマー）の変更はしない場合は、この端末網制御装置においては、前記後方電話機の２回目の前記オフフックの検知により通信した後、そのとき前記センタ装置に発呼するために確認している前記リンガー信号を送出する所定送出時間を再設定するための要求するデータを前記センタ装置へ送信し、前記要求データを受信した前記センタ装置は前記端末網制御装置に向かってダイヤルし、前記端末網制御装置はそのときの前記所定送出時間を測定し、前記所定管理時間を更に幅を狭めた値で前記端末網制御装置が記憶することができる。
センタ装置が管理している時間（センタタイマー）の変更をしない場合であり、回線がナンバーディスプレイ契約に変更されると、端末網制御装置側に送出されるリンガー信号が少なくなる。端末網制御装置側は、後方電話機の一次応答（オフフック）がオンフックされてからリンガー信号検知すると時間計測開始しリンガー停止までカウントし、「所定管理時間」と一致するかを判定する。しかし、回線がナンバーディスプレイ契約に変更されると計測時間が管理時間と一致しなくなるため、管理時間を再設定する必要がある。即ち、センタ装置からのダイヤルを要求し、後方電話機の一次応答（オフフック）がオンフックされてからリンガー信号を検知すると時間計測開始し、リンガー信号の停止までカウントした時間を「所定管理時間」に再設定をする。
【００２０】
また、この端末網制御装置において、前記センタ装置が前記ＰＢ信号だけではなく、前記後方電話機に通信することを知らせる音声送出後に前記ＰＢ信号を送出する場合には、前記端末網制御装置は、当該音声送出中に前記マイコン高速動作での前記ＰＢ待ちをせず、通信１回目に前記後方電話機の前記オフフックから前記ＰＢ信号の受信までの時間を測定し、測定した値が、音声が含まれていると想定できる所定時間以上の値であるとき、通信２回目からは、測定時間経過後に前記マイコン高速動作での前記ＰＢ信号待ちをすること、ができる。
【００２１】
また、この端末網制御装置において、電池消費を低減する動作中に、一定期間前記端末網制御装置が通信を行わないとき、初期の設定状態に戻すことができる。また、この端末網制御装置において、初期の設定状態に戻ったとき、前記センタ装置へ発呼し、前記センタ装置から再設定してもらう要求データを送信するとともに、調査が必要で即再設定できない時のための一定期間後の再発呼時期設定要求データを送信することができる。
【００２２】
この発明によるテレメータ通信システムは、最初に送出されるプレリンガー信号に応じてオフフックをし、電話回線から送出される発信者電話番号信号を受信することに応じて自動でオンフックする後方電話機、前記オフフックを検知することに応じてマイコン高速動作でＰＢ信号待ちとなり、その後の前記後方電話機のオンフックを検知することに応じて前記ＰＢ信号待ちを解除してマイコン低速動作に戻って前記後方電話機のオフフック監視状態となる端末網制御装置、とを備え、前記端末網制御装置は、ナンバーディスプレイ契約がされた回線と判別（２回目のオフフックを検知し、ＰＢ信号を受信）したら、前記後方電話機のその後のプレリンガー信号に応じた前記１回目オフフックを検知することに応じて、前記ＰＢ信号待ちをせずに前記マイコン低速動作での前記後方電話機のオンフック監視状態となることを特徴としている。
【発明の効果】
【００２３】
この発明による端末網制御装置及びテレメータ通信システムによれば、後方電話機の機種に影響されず、回数ではなく幅を持たせた時間で管理することにより、リンガー信号とプレリンガー信号を区別しないで済ます（回線ノイズで誤判定しないように）ことができる。また、無駄にＰＢ信号待ちをしないようにしたので、端末網制御装置の信頼性を高くすることができるとともに、電池駆動される端末網制御装置の電池消費を低減することができる。
【図面の簡単な説明】
【００２４】
【図１】本発明の端末網制御装置の動作フローチャートである。
【図２】ナンバーディスプレイ契約をしていない回線における端末網制御装置の動作（後方電話機がオフフックする場合）を示す図である。
【図３】ナンバーディスプレイ契約をしている回線における端末網制御装置の動作（後方電話機がオフフックする場合）を示す図である。
【図４】ナンバーディスプレイ契約をしている回線における端末網制御装置の動作（後方電話機がオフフックしない場合）を示す図である。
【図５】通信システムの構成図である。
【図６】端末網制御装置のブロック図である。
【図７】従来の端末網制御装置の動作フローチャートである。
【発明を実施するための形態】
【００２５】
以下、図面を参照して、この発明による端末網制御装置の実施例を説明する。通信システムや端末網制御装置それ自体の構造は、図５に示す従来のシステムや図６に示す端末網制御装置と変わるところはないので、再度の説明については省略するが、以下に行う本発明の実施例の説明については、これらのシステムや装置に用いられている各手段（要素）とそれに付されている符号とをそのまま用いる。
【００２６】
図１は、本発明による端末網制御装置の動作フローチャートである。ナンバーディスプレイ契約がされた電話回線では、最初に、短いリンガー信号としてのプレリンガー信号が送出される（Ｓ１１）。端末網制御装置１５の後方電話機１７は、プレリンガー信号を受信すると、自動的に一次応答（オフフック）をする（Ｓ１２）。プレリンガー信号が送出されている間は、後方電話機１７はベル音を鳴動しないようになっている。端末網制御装置１５は、後方電話機１７のオフフックを検知すると、従来フローではマイコン高速動作にてＰＢ信号受信待ちとなるところであるが、センタ装置１１からＰＢ信号が送信されないので、マイコン低速動作の状態を維持し、ＰＢ信号受信待ちをしない（Ｓ１３）。こうした対応により、本実施例では電池消費を低減することができる。
【００２７】
ナンバーディスプレイ契約がされた電話回線は、プレリンガー信号送出後のオフフックに対しては、回線接続するのではなく、発信者電話番号信号を送出する（Ｓ１４）。後方電話機１７は発信者電話番号信号を受信すると、電話番号を表示し、ベル音を鳴動させるためのリンガー信号を送信してもらうために、自動でオンフックする。端末網制御装置１５は、後方電話機１７のオンフックを確認すると、再度オフフックされるのを監視する（Ｓ１５）。ナンバーディスプレイ契約がされた回線は、発信者電話番号信号を送出後のオンフックを検知すると、リンガー信号の送出を行う（Ｓ１６）。
【００２８】
端末網制御装置１５は後方電話機１７のオフフックを確認し（Ｓ１７）、後方電話機１７がオフフックすると、ナンバーディスプレイ契約がされた回線は回線接続にするので、端末網制御装置１５はマイコン高速動作にてセンタ装置からのＰＢ信号待ちとなる（Ｓ１８）。一定時間、センタ装置１１からのＰＢ信号の有無を確認し（Ｓ１９）、ＰＢ信号を受信して、端末網制御装置１５内に記憶されているＰＢの値と一致すれば、センタ装置１１との通信を開始する（Ｓ２０）。ＰＢ信号が受信できない場合は、一般のユーザーからの電話であると判断して、何もせずスタンバイ状態に戻る（Ｓ２１）。このＳ１６，Ｓ１７〜Ｓ２０に至るフローに対応した通信方法が、リンガー信号の送出中に後方電話機のオフフック有りの場合において、センタ装置から送出されたＰＢ信号の受信に応答して端末網制御装置がセンタ装置へするという、一方の通信方法である。
【００２９】
Ｓ１７の監視において後方電話機１７のオフフックがないとき、端末網制御装置１５はリンガー信号が停止するか否かを判断し（Ｓ２２）、停止するときはそれまでの時間を測定する。リンガー信号が停止すると、測定した時間値が端末網制御装置１５内に記憶されている時間値と一致するか否かの判断をし（Ｓ２３）、両時間値が一致するときにはセンタ装置１１からの起動ということで、センタ装置１１へ発呼（発信）を行う（Ｓ２４）。センタ装置１１と接続できれば通信を行い、センタ装置１１からの命令に従ってメータ１６へのデータ設定やメータ検針を行う（Ｓ２５）。Ｓ２２でリンガー信号が停止しない場合には、Ｓ１７に戻って後方電話機１７のオフフックを確認する。Ｓ２３において測定した時間値が端末網制御装置１５内に記憶されている時間値と一致しなければ、一般のユーザーからの電話であると判断して、何もせずスタンバイ状態に戻る（Ｓ２６）。このＳ１６，Ｓ１７，Ｓ２２〜Ｓ２５に至るフローに対応した通信方法が、リンガー信号が後方電話機のオフフック無しに停止された場合において、端末網制御装置からセンタ装置へ発呼してセンタ装置と通信するという、もう一つの通信方法である。
【００３０】
図２は、本発明による端末網制御装置が、ナンバーディスプレイ契約をしていない回線において動作するときのタイムチャート図である。なお、このタイムチャート図は、図７に示すフローチャートにおいて後方電話機がオフフックする（Ｓ２でＮＯ）場合に相当する。プレリンガー信号や発信者電話番号信号の送出は無いので、リンガー信号が送出されている間（Ｓ１に相当）、端末網制御装置１５は、マイコン低速動作にて、後方電話機１７のオフフック監視の状態［１］にある（Ｓ２に相当）。後方電話機１７がオフフックされると、端末網制御装置１５は、マイコン高速動作にてＰＢ信号待ちの状態［２］になり（Ｓ３に相当）、ＰＢ信号受信後（Ｓ４に相当）、センタ１１との通信状態［３］となる（Ｓ５に相当）。
【００３１】
図３は、本発明による端末網制御装置が、ナンバーディスプレイ契約をしている回線における端末網制御装置の動作を示すタイムチャート図であり、図１に示すフローチャートにおいて後方電話機がオフフックする場合（Ｓ１１〜Ｓ２１）に相当する。
【００３２】
図３に示すように、ナンバーディスプレイ契約がされた回線では、端末網制御装置１５は、後方電話機１７のオフフック監視状態にある［１］。送出された短いプレリンガー信号（Ｓ１１）を後方電話機１７が受信すると、自動的に一次応答（オフフック）をする（Ｓ１２）。端末網制御装置１５は、後方電話機１７のオフフックを検知すると、従来はマイコン高速動作にてＰＢ信号受信待ちをしていた［２］が、本実施例では、センタ装置１１からＰＢ信号が送信されないので、マイコン低速動作のままでＰＢ信号受信待ちをせず（Ｓ１３）、後方電話機１７のオンフックを監視する［６］。マイコン動作が高速に移行しないことにより、電池消費を低減することができる。
【００３３】
プレリンガー信号送出後に後方電話機１７がオフフックすることに対して、発信者電話番号信号が送出される（Ｓ１４）。後方電話機１７は、発信者電話番号信号を受信すると、ベル音を鳴動させるためのリンガー信号を送信してもらうために、自動でオンフックする。端末網制御装置１５は、後方電話機１７のこのオンフックを確認すると、リンガー信号送出が行われ、再度オフフックされるのを監視する（Ｓ１５）状態となる［３］。この場合、従来は、マイコン高速動作を解除して、低速動作にて後方電話機１７のオフフック監視に移行したが、本発明では、マイコン低速動作の状態が維持されたままである。
【００３４】
その後、端末網制御装置１５は、後方電話機１７のオフフックを確認し（Ｓ１７）、後方電話機１７がオフフックすると、マイコン高速動作にてセンタ装置からのＰＢ信号待ちとなる（Ｓ１８）［４］。一定時間、センタ装置１１からのＰＢ信号の有無を確認し（Ｓ１９）、ＰＢ信号を受信して、端末網制御装置１５内に記憶されているＰＢの値と一致すれば、センタ装置１１との通信を開始する（Ｓ２０）［５］。状態［４］及び［５］については、従来のマイコン動作と同様である。
【００３５】
図４は、本発明による端末網制御装置が、回線をナンバーディスプレイ契約へ変更する場合の端末網制御装置の動作を示すタイムチャート図であり、図１に示すフローチャートにおいて後方電話機がオフフックしない場合（Ｓ１７からＳ２２〜Ｓ２５）に相当する。図４に示すタイムチャートおいて、本発明による端末網制御装置１５の状態［１］、［６］及び［３］（従来の端末網制御装置の状態［１］、［２］及び［３］）については、図３に示すタイムチャートと同じであるので、再度の説明を省略する。
【００３６】
図４に示すように、Ｓ１７の監視において後方電話機１７のオフフックがないとき、端末網制御装置１５はプレリンガー信号の受信開始からリンガー信号が停止するまでの時間を測定する（Ｓ２２）［４］。リンガー信号が停止すると、測定した時間値が端末網制御装置１５内に記憶されている時間値と一致すれば（Ｓ２３）、端末網制御装置１５は、センタ装置１１からの起動であると判断して、マイコン高速動作に移行してセンタ装置１１へ発呼（発信）を行う（Ｓ２４）［５］。センタ装置１１と接続できれば通信を行い、センタ装置１１からの命令に従ってメータ１６へのデータ設定やメータ検針を行う（Ｓ２５）。
【００３７】
端末網制御装置はプレリンガー信号の検知から後方電話機におけるプレリンガー信号に応じたオンフックの検知までの時間データ（図４中のプレリンガー信号の検知から行う時間計測）をセンタ装置へ送信し、センタ装置との接続時間を延ばすことをセンタ装置へ促し、端末網制御装置が記憶しているところの、端末網制御装置が発呼する通信において管理している所定管理時間を、センタタイマー（変更後）が延長されて示されているように、幅を持たせて延ばす処理をするのが好ましい。これにより、リンガー信号に基づいて後方電話機の鳴動時間が短くならないようにすることができる。
【００３８】
電話回線等の設置後、最初の電話回線を通じて通信をする際に、当該電話回線がナンバーディスプレイ契約をしている回線かどうか判定し、その判定内容を記憶することができる。電話回線がナンバーディスプレイ契約している回線であると判定される場合には、端末網制御装置１５は、電話回線を通じての次回以降の通信において、電話回線がナンバーディスプレイ契約をしている回線であることを認識の上、対処可能となる。即ち、プレリンガー信号に応じて後方電話機は１回目のオフフックをするが、そのオフフックの検知ではマイコン高速動作でのＰＢ信号待ちをしないことで、電池の消耗を防ぐことができる。その後のリンガー信号に応じて後方電話機がする２回目のオフフックの検知の後に、ＰＢ信号待ちをすることができる。
【００３９】
また、設置時にはナンバーディスプレイ契約をしていない電話回線が途中からナンバーディスプレイ契約をしている回線に変更された場合には、端末網制御装置１５は、変更後の最初の通信においては後方電話機がする２回目のオフフックの検知によりＰＢ信号を受信し通信するが、その際には当該電話回線がナンバーディスプレイ契約をしている回線であることが判るので、次回の通信において後方電話機がする１回目のオフフックの検知ではマイコン高速動作でのＰＢ信号待ちをしないことで電池の消耗を防ぎ、２回目のオフフックの検知後にＰＢ信号待ちをすることができる。
【００４０】
更に、センタ装置がＰＢ信号だけではなく、後方電話機に通信することを知らせる音声送出後にＰＢ信号を送出する場合には、端末網制御装置は、当該音声送出中にマイコン高速動作でのＰＢ信号待ちをせず、通信１回目に後方電話機のオフフックからＰＢ信号の受信までの時間を測定し、測定した値が、音声が含まれていると想定できる所定時間以上の値であるとき、通信２回目からは、測定時間経過後にマイコン高速動作でのＰＢ信号待ちをする。センタ装置がＰＢ信号だけではなく、後方電話機に通信することを知らせる音声送出後にＰＢ信号を送出する場合には、端末網制御装置が音声送出中にマイコン高速動作でのＰＢ待ちをするのは無駄であるため、このように対応することが好ましい。
即ち、センタ装置がＰＢ信号送出前に音声を出力する場合があり、例えば「センタ装置と通信を行います、受話器を下ろしてください」という音声の後、ＰＢ信号送出する。この場合、音声は受話器を上げたユーザーへのものであり、ＰＢ信号は端末網制御装置へのものであり、端末網制御装置は音声を検知しておらずＰＢ信号を待ち続けており、音声が送出されている間はマイコン高速動作で無駄に起動していることになる。こうした無駄な動作にならないように、２回目の後方電話機オフフック検知からＰＢ信号受信までの時間を計測し、それを音声送出時間と判定し、２回目の後方電話機オフフック検知から計測した時間の間は、高速動作をしないことで電流消費を減らしている。
【符号の説明】
【００４１】
１１  センタ装置                      １２  センタ側交換局
１３  電話回線                        １４  端末側交換局
１５  端末網制御装置                  １６  メータ
１７  後方電話機                      １８  回線制御部
１９  マイクロコンピュータ            ２０  メモリ
２１  オフフック検知部                ２２  電源部
２３  メータＩ／Ｆ部
【図１】
2010251982.tif 000003
【図２】
2010251982.tif 000004
【図３】
2010251982.tif 000005
【図４】
2010251982.tif 000006
【図５】
2010251982.tif 000007
【図６】
2010251982.tif 000008
【図７】
2010251982.tif 000009